(57)【要約】【課題】複数撮影者の画像を共有フォルダにアップロードする際に、撮影者によって分類の程度が異なるとアップロード後の共有フォルダが煩雑になり、複数者で閲覧する際に不便である。【解決手段】第１の情報処理装置１１０と、第２の情報処理装置１２０と、第３の情報処理装置１３０から構成される情報処理システムにおいて、複数のユーザ間で共有フォルダにおけるファイルの要求分類レベルを共有し、これに基づき共有フォルダへのアップロードを制限するようにした。これにより、複数のユーザによりファイルの閲覧が容易となる。【選択図】図1
2011253483.tif 000002
【特許請求の範囲】
【請求項１】
ユーザが操作をする第1の操作入力手段と、
ファイルおよびポリシーを第１のメモリに蓄積し、かつ前記ファイルをフォルダに分類する第１の制御手段と、
前記ファイルをサーバの第３のメモリにアップロードする第１の同期処理手段と、
前記フォルダの分類レベルを決定する分類レベル決定手段と、
前記分類レベルをポリシーに反映するポリシー作成手段と、
ポリシーを送信するポリシー送信手段と、
を備える第１の情報処理装置と、
ユーザが操作をする第２の操作入力手段と、
ファイルおよびポリシーをメモリに蓄積し、かつ前記ファイルをフォルダに分類する第２の制御手段と、
前記ファイルをサーバの第３のメモリにアップロードする第２の同期処理手段と、
前記ポリシーを受信するポリシー受信手段と、
フォルダ構成から分類レベルを判定する分類レベル判定手段と、
前記ポリシーから要求分類レベルを取得し、これと前記分類レベルを比較し、アップロード可否を判定するアップロード可否判定手段と、
を備える第２の情報処理装置と、
ユーザが操作をする第３の操作入力手段と、
共有フォルダをサーバの第３のメモリに作成し、かつ前記ファイルをサーバの第３のメモリに蓄積する第３の制御手段と、
を備える第３の情報処理装置と、
を備える情報処理システム。
【請求項２】
前記第１の情報処理装置は、フォルダ分類レベルの制限度合いを定義する分類制限を決定する分類制限決定手段を備え、前記第２の情報処理装置は、前記分類制限決定手段から作成されたポリシーを基に分類制限を判定する分類制限判定手段を備える請求項１記載の情報処理システム。
【請求項３】
前記第１の情報処理装置は、前記分類制限を共有者の属性によって変更する分類制限決定手段を備える請求項２記載の情報処理システム。
【請求項４】
前記第１の情報処理装置は、前記フォルダ分類レベルをフォルダ情報から自動的に決定する分類レベル決定手段と、
前記分類制限を自動的に決定する分類制限決定手段と、
を備える請求項１又は２記載の情報処理システム。
【請求項５】
前記第２の情報処理装置は、前記アップロード可否判定手段によりアップロード不可と判定された場合、アップロード元とアップロード先のファイルタイムスタンプを取得するタイムスタンプ確認手段と、
所定期間内のタイムスタンプを有するファイルのみをアップロードする第２の同期処理手段と、
を備える請求項１記載の情報処理システム。
【発明の詳細な説明】
【技術分野】
【０００１】
本発明は、複数の情報処理装置内のファイルを共有するための情報処理システムに関するものである。
【背景技術】
【０００２】
従来、この種の情報処理システムとしては、例えば、特許文献１に記載されているようなものがあった。
【０００３】
特許文献１には、多数の分類項目からなる管理データを保存した管理装置と、それぞれ画像データを撮影して記録媒体に記録する複数の記録装置からなる情報処理システムが記載されている。
【０００４】
このシステムによれば、前記複数の記録装置がそれぞれ前記管理装置から前記管理データを取得し、前記管理データにおける多数の分類項目のうち前記画像データに応じた分類項目を選択し、前記選択した分類項目を示す付加情報を前記画像データに対応付けて前記記録媒体に記録することができる。
【先行技術文献】
【特許文献】
【０００５】
【特許文献１】特開２００４−３３６５４３号公報（第１１頁、図２）
【発明の概要】
【発明が解決しようとする課題】
【０００６】
しかしながら、特許文献１に記載されたものでは、分類されていることを前提としており、「分類作業の進み具合が撮影者ごとに異なっている状態」に対する考慮はなされていない。そのため、複数撮影者の画像を共有フォルダにアップロードするようなユースケースが存在する場合、撮影者によって分類の程度が異なるとアップロード後の共有フォルダが煩雑になり、複数撮影者で閲覧する際に不便になるという課題がある。
【０００７】
本発明は、上記課題を解決するために、複数ユーザの分類作業の程度を考慮し、複数ユーザ間でのファイル閲覧を容易にする情報処理システムを提供するものである。
【課題を解決するための手段】
【０００８】
本発明の情報処理システムは、ユーザが操作をする第1の操作入力手段と、ファイルおよびポリシーを第１のメモリに蓄積し、かつ前記ファイルをフォルダに分類する第１の制御手段と、前記ファイルをサーバの第３のメモリにアップロードする第１の同期処理手段と、前記フォルダの分類レベルを決定する分類レベル決定手段と、前記分類レベルをポリシーに反映するポリシー作成手段と、ポリシーを送信するポリシー送信手段とを備える第１の情報処理装置と、ユーザが操作をする第２の操作入力手段と、ファイルおよびポリシーを第２のメモリに蓄積し、かつ前記ファイルをフォルダに分類する第２の制御手段と、前記ファイルをサーバの第３のメモリにアップロードする第２の同期処理手段と、前記ポリシーを受信するポリシー受信手段と、フォルダ構成から分類レベルを判定する分類レベル判定手段と、前記ポリシーから要求分類レベルを取得し、これと前記分類レベルを比較し、アップロード可否を判定するアップロード可否判定手段とを備える第２の情報処理装置と、ユーザが操作をする第３の操作入力手段と、共有フォルダをサーバの第３のメモリに作成し、かつ前記ファイルをサーバの第３のメモリに蓄積する第３の制御手段を備える第３の情報処理装置とを備える。
【０００９】
この構成により、複数のユーザ間で要求分類レベルを共有し、それに基づき共有フォルダへのアップロードを制限することができる。結果、分類されたファイルのみをアップロードすることができる。
【発明の効果】
【００１０】
本発明の情報処理システムによれば、共有フォルダ配下は複数撮影者の画像ファイルが分類された状態が保たれ、閲覧が容易になる。
【図面の簡単な説明】
【００１１】
【図１】本発明の実施の形態１における情報処理システム全体のブロック図
【図２】本発明の実施の形態１における情報処理システムの動作を説明するシーケンス図
【図３】本発明の実施の形態１における第２の情報処理装置の動作を説明するフローチャート
【図４】本発明の実施の形態２における情報処理システム全体のブロック図
【図５】本発明の実施の形態２における情報処理システムの動作を説明するシーケンス図
【図６】本発明の実施の形態２における第２の情報処理装置の動作を説明するフローチャート
【図７】本発明の実施の形態３における情報処理システム全体のブロック図
【図８】本発明の実施の形態３における情報処理システムの動作を説明するシーケンス図
【図９】本発明の実施の形態３における第１の情報処理装置の動作を説明するフローチャート
【図１０】本発明の実施の形態４における情報処理システム全体のブロック図
【図１１】本発明の実施の形態４における情報処理システムの動作を説明するシーケンス図
【図１２】本発明の実施の形態４における第１の情報処理装置の動作を説明するフローチャート
【図１３】本発明の実施の形態５における情報処理システム全体のブロック図
【図１４】本発明の実施の形態５における情報処理システムの動作を説明するシーケンス図
【図１５】本発明の実施の形態５における第２の情報処理装置の動作を説明するフローチャート
【発明を実施するための形態】
【００１２】
以下に、本発明の実施の形態について、図面を参照しながら説明する。
【００１３】
（実施の形態１）
図１は、本発明の第１の実施の形態における情報処理システム全体のブロック図である。
【００１４】
図１に示すように、本発明の第１の実施の形態における情報処理システムは、第１の情報処理装置１１０と、第２の情報処理装置１２０と、第３の情報処理装置１３０から構成される。
【００１５】
第１の情報処理装置１１０は、第１の操作入力手段１１１と、第１の制御手段１１２と、第１のカメラ撮影手段１１３と、第１のメモリ１１４と、第１の同期処理手段１１５と、分類レベル決定手段１１６と、ポリシー作成手段１１７と、ポリシー送信手段１１８から構成される。
【００１６】
次に第１の情報処理装置１１０の各ブロックの処理について説明をする。
【００１７】
第１の操作入力手段１１１は、ユーザが操作等の情報を入力するための手段である。第１の操作入力手段１１１は、たとえばキーボード、キーボタン、タッチパネルにより実現される。
【００１８】
第１の制御手段１１２は、ユーザが入力した操作等の情報を受け、その情報に基づき各ブロックを制御するための手段であり、各手段が作成した情報を第１のメモリ１１４に出力するための手段である。
【００１９】
第１の同期処理手段１１５は、第３の情報処理装置１３０に画像ファイルをアップロードするために他の情報処理装置１３０と同期処理を行う手段である。
【００２０】
分類レベル決定手段１１６は、アップロードファイルの要求分類レベルを決定するための手段である。
【００２１】
ポリシー作成手段１１７は、決定された分類レベルをポリシーに反映し、ポリシーを作成するための手段である。
【００２２】
第１の制御手段１１２と、第１の同期処理手段１１５と、分類レベル決定手段１１６と、ポリシー作成手段１１７は、たとえばＣＰＵ（Ｃｅｎｔｒａｌ  Ｐｒｏｃｅｓｓｉｎｇ  Ｕｎｉｔ）上で動作するプログラムにより実現される。
【００２３】
第１のカメラ撮影手段１１３は、人物、風景等を撮影するための手段である。第１のカメラ撮影手段１１３は、たとえば内蔵のカメラデバイス、外付のカメラデバイスにより実現される。
【００２４】
第１のメモリ１１４は、画像ファイル、ポリシー等の情報を蓄積するものである。第１のメモリ１１４は、たとえばハードディスク、ＳＤカード、フロッピー（登録商標）ディスク等により実現される。
【００２５】
ポリシー送信手段１１８は、第２の情報処理装置１２０にポリシーを送信するための手段である。ポリシー送信手段１１８によるポリシーの送信は、たとえばインターネット通信、セルラー通信、赤外線通信、Ｂｌｕｅｔｏｏｔｈ通信、ＵＳＢ通信により実現される。
【００２６】
以下、第１の制御手段１１２が行う処理について、具体的に説明する。
【００２７】
第１の制御手段１１２が行う第１の処理では、第１の操作入力手段１１１からカメラ撮影命令を受け、第１のカメラ撮影手段１１３にカメラ撮影命令を出力し、第１のカメラ撮影手段１１３はカメラ撮影を行い、第１の制御手段１１２を介して第１のメモリ１１４に画像ファイルを出力する。
【００２８】
第１の制御手段１１２が行う第２の処理では、第１の操作入力手段１１１から画像ファイルアップロード命令を受け、第１の同期処理手段１１５にファイルアップロード命令を出力する。そして、第１の同期処理手段１１５は、第１のメモリ１１４に画像ファイル読み出し命令を出力し、第１のメモリ１１４は、第１の同期手段１１５に画像ファイルを出力する。さらに、第１の同期処理手段１１５は、第３の制御手段１３２を介して第３のメモリ１３３に画像ファイルを出力する。
【００２９】
第１の制御手段１１２が行う第３の処理では、第１の操作入力手段１１１からフォルダ分類命令を受け、第１のメモリ１１４にフォルダ分類命令を出力する。
【００３０】
第１の制御手段１１２が行う第４の処理では、第１の操作入力手段１１１から分類レベル決定命令を受け、分類レベル決定手段１１６に分類レベル決定命令を出力する。そして、分類レベル決定手段１１６は、分類レベルと分類レベル反映命令をポリシー作成手段１１７に出力し、ポリシー作成手段１１７は、第１の制御手段１１２を介して第１のメモリ１１４にポリシーを出力する。
【００３１】
第１の制御手段１１２が行う第５の処理では、第１の操作入力手段１１１からポリシー送信命令を受け、ポリシー送信手段１１８にポリシー送信命令を出力する。ポリシー送信手段１１８は、第１のメモリ１１４にポリシー読み出し命令を出力し、第１のメモリ１１４は、ポリシー送信手段１１８にポリシーを出力し、ポリシー送信手段１１８は、第２の情報処理装置１２０にポリシーを送信する。
【００３２】
第２の情報処理装置１２０は、第２の操作入力手段１２１と、第２の制御手段１２２と、第２のカメラ撮影手段１２３と、第２のメモリ１２４と、ポリシー受信手段１２５と、第２の同期処理手段１２６と、分類レベル判定手段１２７と、アップロード可否判定手段１２８から構成される。
【００３３】
次に第２の情報処理装置１２０の各ブロックの処理について説明をする。
【００３４】
第２の操作入力手段１２１は、ユーザが操作等の情報を入力するための手段である。第２の操作入力手段１２１は、たとえばキーボード、キーボタン、タッチパネルにより実現される。
【００３５】
第２の制御手段１２２は、ユーザが入力した操作等の情報を受け、その情報に基づき各ブロックを制御するための手段であり、各手段が作成した情報を第２のメモリ１２４に出力するための手段である。
【００３６】
第２の同期処理手段１２６は、第３の情報処理装置１３０に画像ファイルをアップロードするために他の情報処理装置と同期処理を行う手段である。
【００３７】
分類レベル判定手段１２７は、第２のメモリ１２４のフォルダ構成から分類レベルを判定するための手段である。
【００３８】
アップロード可否判定手段１２８は、第２の情報処理装置１２０のフォルダ分類レベルと要求される分類レベルを比較し、第３の情報処理装置１３０へのアップロード可否を判定するための手段である。
【００３９】
第２の制御手段１２２と、第２の同期処理手段１２６と、分類レベル判定手段１２７と、アップロード可否判定手段１２８は、たとえばＣＰＵ（Ｃｅｎｔｒａｌ  Ｐｒｏｃｅｓｓｉｎｇ  Ｕｎｉｔ）上で動作するプログラムにより実現される。
【００４０】
第２のカメラ撮影手段１２３は、人物、風景等を撮影するための手段である。第２のカメラ撮影手段１２３は、たとえば内蔵のカメラデバイス、外付のカメラデバイスにより実現される。
【００４１】
第２のメモリ１２４は、画像ファイル、ポリシー等の情報を蓄積するものである。第２のメモリ１２４は、たとえばハードディスク、ＳＤカード、フロッピー（登録商標）ディスクにより実現される。
【００４２】
ポリシー受信手段１２５は、第１の情報処理装置１１０からポリシーを受信するための手段である。ポリシー受信手段１２５によるポリシーの受信は、たとえばインターネット通信、セルラー通信、赤外線通信、Ｂｌｕｅｔｏｏｔｈ通信、ＵＳＢ通信により実現される。
【００４３】
以下、第２の制御手段１２２が行う処理について、具体的に説明する。
【００４４】
第２の制御手段１２２が行う第１の処理では、第２の操作入力手段１２１からカメラ撮影命令を受け、第２のカメラ撮影手段１２３にカメラ撮影命令を出力し、第２のカメラ撮影手段１２３はカメラ撮影を行い、第２の制御手段１２２を介して第２のメモリ１２４に画像ファイルを出力する。
【００４５】
第２の制御手段１２２が行う第２の処理では、ポリシー受信手段１２５がポリシーを受信し、第２の制御手段１２２を介して第２のメモリ１２４にポリシーを出力する。
【００４６】
第２の制御手段１２２が行う第３の処理では、第２の操作入力手段１２１からフォルダ分類命令を受け、第２のメモリ１２４にフォルダ分類命令を出力する。
【００４７】
第２の制御手段１２２が行う第４の処理では、第２の操作入力手段１２１から画像ファイルアップロード命令を受け、第２の同期処理手段１２６にファイルアップロード命令を出力し、第２の同期処理手段１２６は、分類レベル判定手段１２７に分類レベル判定命令を出力し、分類レベル判定手段１２７は、第２のメモリ１２４にフォルダ構成読み出し命令を出力する。そして、第２のメモリ１２４は、分類レベル判定手段１２７にフォルダ構成を出力する。分類レベル判定手段１２７は、前記フォルダ構成から分類レベルを判定し、アップロード可否判定手段１２８に分類レベルを出力する。アップロード可否判定手段１２８は、第２のメモリ１２４にポリシー読み出し命令を出力し、第２のメモリ１２４は、アップロード可否判定手段１２８にポリシーを出力する。アップロード可否判定手段１２８は、前記ポリシーから要求分類レベルを読み出し、前記分類レベルと比較し、アップロード可否判定結果を第２の同期処理手段１２６に出力する。前記判定結果が可であれば、第２の同期処理手段１２６は、第２のメモリ１２４に画像ファイル読み出し命令を出力し、第２のメモリ１２４は、第２の同期手段１２６に画像ファイルを出力し、第２の同期処理手段１２６は、第３の制御手段１３２を介して第３のメモリ１３３に画像ファイルを出力する。
【００４８】
第３の情報処理装置１３０は、第３の操作入力手段１３１と、第３の制御手段１３２と、第３のメモリ１３３から構成される。
【００４９】
次に第３の情報処理装置１３０の各ブロックの処理について説明をする。
【００５０】
第３の操作入力手段１３１は、ユーザが操作等の情報を入力するための手段である。第３の操作入力手段１３１は、たとえばキーボード、キーボタン、タッチパネルにより実現される。
【００５１】
第３の制御手段１３２は、ユーザが入力した操作等の情報を受け、その情報に基づき第３のメモリ１３３を制御するための手段であり、第１の情報処理装置１１０、および第２の情報処理装置１２０から送信された画像ファイルを第３のメモリ１３３に出力するための制御を行う手段である。
【００５２】
第３の制御手段１３２は、たとえばＣＰＵ（Ｃｅｎｔｒａｌ  Ｐｒｏｃｅｓｓｉｎｇ  Ｕｎｉｔ）上で動作するプログラムにより実現される。
【００５３】
第３のメモリ１３３は、画像ファイル等の情報を蓄積するものである。第３のメモリ１３３は、たとえばハードディスク、ＳＤカード、フロッピー（登録商標）ディスクにより実現される。
【００５４】
以下、第３の制御手段１３２が行う処理について、具体的に説明する。
【００５５】
第３の制御手段１３２が行う第１の処理では、第３の操作入力手段１３１から共有フォルダ作成命令を受け、第３のメモリ１３３に共有フォルダ作成命令を出力する。
【００５６】
第３の制御手段１３２が行う第２の処理では、第１の情報処理装置１１０、および第２の情報処理装置１２０からファイル蓄積命令を受け、第３のメモリ１３３にファイルを蓄積する。
【００５７】
次に、本発明の実施の形態１の具体的な動作について図２を用いて説明する。
【００５８】
図２は、実施の形態１における同情報処理システムの動作を説明するためのシーケンス図である。
【００５９】
図２に示すように、最初に、第１の情報処理装置を使用するユーザＡが第３の情報処理装置に共有フォルダを作成する（Ｓ２１０）。次に、画像ファイルをフォルダに分類し（Ｓ２１１）、共有フォルダに画像ファイルをアップロードする（Ｓ２１２、Ｓ２１３）。アップロードが完了したら第３の情報処理装置は、アップロード完了通知（Ｓ２１４）を第１の情報処理装置に送信する。この時点において、第３の情報処理装置の共有フォルダ配下は、分類された状態になっている。次にユーザＡは、分類レベルを決定し、ポリシーを作成する（Ｓ２１５）。このポリシーを第２の情報処理装置を使用するユーザＢ、およびユーザＣに送信する（Ｓ２１６、Ｓ２１７）。
【００６０】
ユーザＢが要求分類レベルに基づき画像ファイルをフォルダに分類し（Ｓ２２０）、アップロードを開始（Ｓ２２１）した場合、分類レベル判定（Ｓ２２２）、およびアップロード可否判定（Ｓ２２３）によりアップロード可と判定され、アップロードが実行される（Ｓ２２４）。アップロードが完了したら第３の情報処理装置は、アップロード成功通知（Ｓ２２５）をユーザＢが使用する第２の情報処理装置に送信する。この時点において、第３の情報処理装置の共有フォルダ配下は、分類された状態が保たれている。また、ユーザＣがフォルダを分類せずにアップロードを開始（Ｓ２３０）した場合、分類レベル判定（Ｓ２３１）、およびアップロード可否判定（Ｓ２３２）によりアップロード不可と判定され、第２の情報処理装置は、アップロード失敗通知（Ｓ２３３）をユーザＣに送信する。次に、ユーザＣが要求分類レベルに基づき画像ファイルをフォルダに分類し（Ｓ２３４）、アップロードを開始（Ｓ２３５）した場合、分類レベル判定（Ｓ２３６）、およびアップロード可否判定（Ｓ２３７）によりアップロード可と判定され、アップロードが実行される（Ｓ２３８）。アップロードが完了したら第３の情報処理装置は、アップロード成功通知（Ｓ２３９）をユーザＣが使用する第２の情報処理装置に送信する。この時点において、第３の情報処理装置の共有フォルダ配下は、分類された状態が保たれている。
【００６１】
次に、前記分類レベル判定（Ｓ２２２、Ｓ２３１、Ｓ２３６）、およびアップロード可否判定（Ｓ２２３、Ｓ２３２、Ｓ２３７）の処理内容について図３を用いて説明をする。
【００６２】
図３は、第２の情報処理装置の動作を説明するフローチャートである。
【００６３】
図３に示すように、第２の情報処理端末のフォルダ構成を取得し（Ｓ３０１）、第２の情報処理端末の分類レベルを判定する（Ｓ３０２）。次に、ポリシーから要求分類レベルを取得し（Ｓ３０３）、これと第２の情報処理端末の分類レベルとを比較し（Ｓ３０４）、第２の情報処理端末の分類レベルが要求分類レベル以上であればアップロードを開始する（Ｓ３０５）。要求分類レベルに達していなければアップロードを開始しない。
【００６４】
このように、本発明の実施の形態１によれば、分類された画像は第３の情報処理装置の共有フォルダにアップロードされ、分類されていない画像はアップロードされなくなる。よって、共有フォルダ配下は分類された状態が保たれ閲覧が容易になる（Ｓ２１８、Ｓ２２６、Ｓ２４０）。
【００６５】
（実施の形態２）
図４は、本発明の実施の形態２における情報処理システム全体のブロック図である。
【００６６】
図４に示すように、本発明の実施の形態２における情報処理システムは、第１の情報処理装置４１０と、第２の情報処理装置４２０と、第３の情報処理装置４３０から構成される。
【００６７】
第１の情報処理装置４１０は、第１の操作入力手段４１１と、第１の制御手段４１２と、第１のカメラ撮影手段４１３と、第１のメモリ４１４と、第１の同期処理手段４１５と、分類レベル決定手段４１６と、分類制限決定手段４１７と、ポリシー作成手段４１８と、ポリシー送信手段４１９から構成される。
【００６８】
次に第１の情報処理装置４１０の各ブロックの処理について説明をする。
【００６９】
第１の操作入力手段４１１、第１の制御手段４１２、第１のカメラ撮影手段４１３、第１のメモリ４１４、第１の同期処理手段４１５、分類レベル決定手段４１６、ポリシー送信手段４１９の動作等は、実施の形態１における第１の操作入力手段１１１、第１の制御手段１１２、第１のカメラ撮影手段１１３、第１のメモリ１１４、第１の同期処理手段１１５、分類レベル決定手段１１６、ポリシー送信手段１１８と同様であるため説明を省略する。
【００７０】
分類制限決定手段４１７は、要求分類レベルの制限度合いを決定するための手段である。分類制限決定手段４１７は、たとえばＣＰＵ（Ｃｅｎｔｒａｌ  Ｐｒｏｃｅｓｓｉｎｇ  Ｕｎｉｔ）上で動作するプログラムにより実現される。
【００７１】
ポリシー作成手段４１８は、決定された分類レベル・分類制限をポリシーに反映し、ポリシーを作成するための手段である。
【００７２】
以下、第１の制御手段４１２が行う処理について、具体的に説明する。但し、実施の形態１と同様の処理については省略し、差分のある処理についてだけ説明をする。
【００７３】
第１の制御手段４１２が行う第１の処理では、第１の操作入力手段４１１から分類制限決定命令を受け、分類制限決定手段４１７に分類制限決定命令を出力する。そして、分類制限決定手段４１７は、分類制限と分類制限反映命令をポリシー作成手段４１８に出力し、ポリシー作成手段４１８は、第１の制御手段４１２を介して第１のメモリ４１４にポリシーを出力する。
【００７４】
第２の情報処理装置４２０は、第２の操作入力手段４２１と、第２の制御手段４２２と、第２のカメラ撮影手段４２３と、第２のメモリ４２４と、ポリシー受信手段４２５と、第２の同期処理手段４２６と、分類レベル判定手段４２７と、分類制限判定手段４２８と、アップロード可否判定手段４２９から構成される。
【００７５】
次に第２の情報処理装置４２０の各ブロックの処理について説明をする。
【００７６】
第２の操作入力手段４２１、第２の制御手段４２２、第２のカメラ撮影手段４２３、第２のメモリ４２４、ポリシー受信手段４２５、第２の同期処理手段４２６、分類レベル判定手段４２７、アップロード可否判定手段４２９は、実施の形態１における第２の操作入力手段１２１、第１の制御手段１２２、第２のカメラ撮影手段１２３、第２のメモリ１２４、ポリシー受信手段１２５、第２の同期処理手段１２６、分類レベル判定手段１２７、アップロード可否判定手段１２８と同様であるため説明を省略する。
【００７７】
分類制限判定手段４２８は、受信したポリシーから分類制限を判定するための手段である。分類制限判定手段４２８は、たとえばＣＰＵ（Ｃｅｎｔｒａｌ  Ｐｒｏｃｅｓｓｉｎｇ  Ｕｎｉｔ）上で動作するプログラムにより実現される。
【００７８】
以下、第２の制御手段４２２が行う処理について、具体的に説明する。但し、実施の形態１と同様の処理については省略し、差分のある処理についてだけ説明をする。
【００７９】
第２の制御手段４２２が行う第１の処理では、第２の操作入力手段４２１から画像ファイルアップロード命令を受け、第２の同期処理手段４２６にファイルアップロード命令を出力し、第２の同期処理手段４２６は、分類制限判定手段４２８に分類制限判定命令を出力し、分類制限判定手段４２８は、第２のメモリ４２４にポリシー読み出し命令を出力する。そして、第２のメモリ４２４は、分類制限判定手段４２８にポリシーを出力する。分類制限判定手段４２８は、ポリシーから分類制限を判定し、分類レベル判定手段４２７に分類レベル判定命令を出力するか、アップロード可否判定結果を第２の同期処理手段４２６に出力する。
【００８０】
第３の情報処理装置４３０は、第３の操作入力手段４３１と、第３の制御手段４３２と、第３のメモリ４３３から構成される。第３の情報処理装置４３０の各ブロックの処理等は、実施の形態１における第３の情報処理装置１３０と同様であるため説明を省略する。
【００８１】
次に、本発明の実施の形態２の具体的な動作について図５を用いて説明する。
【００８２】
図５は、実施の形態２における同情報処理システムの動作を説明するためのシーケンス図である。
【００８３】
図５に示すように、最初に、第１の情報処理装置を使用するユーザＡが第３の情報処理装置に共有フォルダを作成する（Ｓ５１０）。次に、画像ファイルをフォルダに分類し（Ｓ５１１）、共有フォルダに画像ファイルをアップロードする（Ｓ５１２、Ｓ５１３）。アップロードが完了したら第３の情報処理装置は、アップロード完了通知（Ｓ５１４）を第１の情報処理装置に送信する。次にユーザＡは、分類レベルを決定する（Ｓ５１５）。第２の情報処理装置を使用するユーザＢに対しては、分類制限を推奨に設定し、ポリシーを作成する（Ｓ５１６１）。このポリシーをユーザＢに送信する（Ｓ５１７１、Ｓ５１８１）。第２の情報処理装置を使用するユーザＣに対しては、分類制限を必須に設定し、ポリシーを作成する（Ｓ５１６２）。このポリシーをユーザＣに送信する（Ｓ５１７２、Ｓ５１８２）。
【００８４】
ユーザＢがフォルダを分類せずにアップロードを開始（Ｓ５２０）した場合、分類制限判定（Ｓ５２１）によりアップロード可と判定され、アップロードが実行される（Ｓ５２２）。アップロードが完了したら第３の情報処理装置は、アップロード成功通知（Ｓ５２３）をユーザＢが使用する第２の情報処理装置に送信する。このように、分類制限を推奨に設定すれば、未分類画像ファイルのアップロードが可能となる。また、ユーザＣが要求分類レベルに基づき画像ファイルをフォルダに分類し（Ｓ５３０）、アップロードを開始（Ｓ５３１）した場合、分類制限判定（Ｓ５３２）、分類レベル判定（Ｓ５３３）、およびアップロード可否判定（Ｓ５３４）によりアップロード可と判定され、アップロードが実行される（Ｓ５３５）。アップロードが完了したら第３の情報処理装置は、アップロード成功通知（Ｓ５３６）をユーザＣが使用する第２の情報処理装置に送信する。このように、分類制限を必須に設定すれば、未分類画像ファイルのアップロードを抑止することができる。
【００８５】
次に、前記分類制限判定（Ｓ５２１、Ｓ５３２）、分類レベル判定（Ｓ５３３）、およびアップロード可否判定（Ｓ５３４）の処理内容について図６を用いて説明をする。
【００８６】
図６は、第２の情報処理装置の動作を説明するフローチャートである。
【００８７】
図６に示すように、ポリシーから分類制限を取得し（Ｓ６０１)、分類制限を判定する（Ｓ６０２）。分類制限が推奨であればアップロード開始し（Ｓ６０７）、必須であれば分類レベル判定を行う（Ｓ６０３、Ｓ６０４、Ｓ６０５、Ｓ６０６、Ｓ６０７）。Ｓ６０３、Ｓ６０４、Ｓ６０５、Ｓ６０６、Ｓ６０７は、実施の形態１における図３のＳ３０１、Ｓ３０２、Ｓ３０３、Ｓ３０４、Ｓ３０５と同様であるため説明を省略する。
【００８８】
このように、本発明の実施の形態２によれば、２つの分類制限を設けることにより、ファイルを共有できる状態までの処理時間を短くする効果がある（Ｓ５１９、Ｓ５２４、Ｓ５３７）。具体的には、親しい友人同士でできるだけ早くファイルを共有したい場合などに効果がある。
（実施の形態３）
図７は、本発明の実施の形態３における情報処理システム全体のブロック図である。
【００８９】
図７に示すように、本発明の実施の形態３における情報処理システムは、第１の情報処理装置７１０と、第２の情報処理装置７２０と、第３の情報処理装置７３０から構成される。
【００９０】
第１の情報処理装置７１０は、第１の操作入力手段７１１と、第１の制御手段７１２と、第１のカメラ撮影手段７１３と、第１のメモリ７１４と、第１の同期処理手段７１５と、分類レベル決定手段７１６と、分類制限決定手段７１７と、電話帳検索手段７１７１と、ポリシー作成手段７１８と、ポリシー送信手段７１９から構成される。
【００９１】
次に第１の情報処理装置７１０の各ブロックの処理について説明をする。
【００９２】
第１の操作入力手段７１１、第１の制御手段７１２、第１のカメラ撮影手段７１３、第１のメモリ７１４、第１の同期処理手段７１５、分類レベル決定手段７１６、ポリシー送信手段７１９の動作等は、実施の形態１における第１の操作入力手段１１１、第１の制御手段１１２、第１のカメラ撮影手段１１３、第１のメモリ１１４、第１の同期処理手段１１５、分類レベル決定手段１１６、ポリシー送信手段１１８と同様であるため説明を省略する。
【００９３】
ポリシー作成手段７１８は、実施の形態２におけるポリシー作成手段４１８と同様であるため説明を省略する。
【００９４】
電話帳検索手段７１７１は、入力されたユーザ名を電話帳内で検索するための手段である。電話帳検索手段７１７１は、たとえばＣＰＵ（Ｃｅｎｔｒａｌ  Ｐｒｏｃｅｓｓｉｎｇ  Ｕｎｉｔ）上で動作するプログラムにより実現される。
【００９５】
以下、第１の制御手段７１２が行う処理について、具体的に説明する。但し、実施の形態１、２と同様の処理については省略し、差分のある処理についてだけ説明をする。
【００９６】
第１の制御手段７１２が行う第１の処理は、第１の操作入力手段７１１から分類制限決定命令とファイル共有者名を受け、分類制限決定手段７１７に分類制限決定命令とファイル共有者名を出力する。そして、分類制限決定手段７１７は、電話帳検索手段７１７１に電話帳検索命令とファイル共有者名を出力する。電話帳検索手段７１７１は、第１のメモリ７１４内に蓄積されている電話帳内にてファイル共有者名を検索し、その検索結果を分類制限決定手段７１７に出力する。分類制限決定手段７１７は、検索結果から分類制限を決定し、分類制限と分類制限反映命令をポリシー作成手段７１８に出力する。ポリシー作成手段７１８は、第１の制御手段７１２を介して第１のメモリ７１４にポリシーを出力する。
【００９７】
第２の情報処理装置７２０は、第２の操作入力手段７２１と、第２の制御手段７２２と、第２のカメラ撮影手段７２３と、第２のメモリ７２４と、ポリシー受信手段７２５と、第２の同期処理手段７２６と、分類レベル判定手段７２７と、分類制限判定手段７２８と、アップロード可否判定手段７２９から構成される。第２の情報処理装置７２０の各ブロックの処理等は、実施の形態２の第２の情報処理装置４２０と同様であるため説明を省略する。
【００９８】
第３の情報処理装置７３０は、第３の操作入力手段７３１と、第３の制御手段７３２と、第３のメモリ７３３から構成される。第３の情報処理装置７３０の各ブロックの処理等は、実施の形態１の第３の情報処理装置１３０と同様であるため説明を省略する。
【００９９】
次に、本発明の実施の形態３の具体的な動作について図８を用いて説明する。
【０１００】
図８は、実施の形態３における同情報処理システムの動作を説明するためのシーケンス図である。
【０１０１】
図８に示すように、最初に、第１の情報処理装置を使用するユーザＡが第３の情報処理装置に共有フォルダを作成する（Ｓ８１０）。次に、画像ファイルをフォルダに分類し（Ｓ８１１）、共有フォルダに画像ファイルをアップロードする（Ｓ８１２、Ｓ８１３）。アップロードが完了したら第３の情報処理装置は、アップロード完了通知（Ｓ８１４）を第１の情報処理装置に送信する。次にユーザＡは、分類レベルを決定し（Ｓ８１５）、第２の情報処理装置を使用するユーザＢに対する分類制限の設定開始をする（Ｓ８１６１）。ユーザＢに対しては、分類制限を必須に設定し、ポリシーを作成する（Ｓ８１７１）。このポリシーをユーザＢに送信する（Ｓ８１８１、Ｓ８１９１）。次にユーザＡは、第２の情報処理装置を使用するユーザＣに対する分類制限の設定開始をする（Ｓ８１６２）。ユーザＣに対しては、分類制限を推奨に設定し、ポリシーを作成する（Ｓ８１７２）。このポリシーをユーザＣに送信する（Ｓ８１８２、Ｓ８１９２）。
【０１０２】
ユーザＢがフォルダを分類せずにアップロードを開始（Ｓ８２１）した場合、分類制限判定（Ｓ８２２）、分類レベル判定（Ｓ８２３）、およびアップロード可否判定（Ｓ８２４）によりアップロード不可と判定され、第２の情報処理装置は、アップロード失敗通知（Ｓ８２５）をユーザＢに送信する。
【０１０３】
また、ユーザＣがフォルダを分類せずにアップロードを開始（Ｓ８３０）した場合、分類制限判定（Ｓ８３１）によりアップロード可と判定され、アップロードが実行される（Ｓ８３２）。アップロードが完了したら第３の情報処理装置は、アップロード成功通知（Ｓ８３３）をユーザＣが使用する第２の情報処理装置に送信する。
【０１０４】
次に、前記分類制限決定（Ｓ８１７１、Ｓ８１７２）の処理内容について図９を用いて説明をする。
【０１０５】
図９は、本発明の実施の形態３における第１の情報処理装置の動作を説明するフローチャートである。
【０１０６】
図９に示すように、ユーザが指定したファイル共有者を設定し（Ｓ９０１)、電話帳を検索する（Ｓ９０２）。共有者の電話帳登録状態を判定し（Ｓ９０３）、電話帳に登録されている場合は、ポリシーの分類制限に「推奨」を設定する（Ｓ９０４）。また、電話帳に登録されていない場合は、ポリシーの分類制限に「必須」を設定する（Ｓ９０５）。
【０１０７】
このように、本発明の実施の形態３によれば、電話帳に登録されていないファイル共有者、即ちあまり親しくない人からプライベートなファイルがアップロードされる事故を防ぐ効果がある。
（実施の形態４）
図１０は、本発明の実施の形態４における情報処理システム全体のブロック図である。
【０１０８】
図１０に示すように、本発明の実施の形態４における情報処理システムは、第１の情報処理装置１０１０と、第２の情報処理装置１０２０と、第３の情報処理装置１０３０から構成される。
【０１０９】
第１の情報処理装置１０１０は、第１の操作入力手段１０１１と、第１の制御手段１０１２と、第１のカメラ撮影手段１０１３と、第１のメモリ１０１４と、第１の同期処理手段１０１５と、分類レベル決定手段１０１６と、分類制限決定手段１０１７と、ポリシー作成手段１０１８と、ポリシー送信手段１０１９から構成される。第１の情報処理装置１０１０の各ブロックの処理等は、実施の形態２における第１の情報処理装置４１０と同様であるため説明を省略する。
【０１１０】
以下、第１の制御手段１０１２が行う処理について、具体的に説明する。但し、実施の形態１、２、３と同様の処理については省略し、差分のある処理についてだけ説明をする。
【０１１１】
第１の制御手段１０１２が行う第１の処理では、第１の操作入力手段１０１１からポリシー作成命令を受け、ポリシー作成手段１０１８にポリシー作成命令を出力する。そして、ポリシー作成手段１０１８は、分類レベル決定手段１０１６に分類レベル決定命令を出力する。分類レベル決定手段１０１６は、第１のメモリ１０１４にフォルダ構成読み出し命令を出力する。そして、第１のメモリ１０１４は、分類レベル決定手段１０１６にフォルダ構成を出力する。分類レベル決定手段１０１６は、前記フォルダ構成から分類レベルを決定し、ポリシー作成手段１０１８に分類レベルと分類レベル反映命令を出力する。次に、ポリシー作成手段１０１８は、分類制限決定手段１０１７に分類制限決定命令を出力する。分類制限決定手段１０１７は、第１のメモリ１０１４に分類制限デフォルト値の読み出し命令を出力する。そして、第１のメモリ１０１４は、分類制限決定手段１０１７に分類制限デフォルト値を出力する。分類制限決定手段１０１７は、ポリシー作成手段１０１８に分類制限と分類制限反映命令を出力する。次に、ポリシー作成手段１０１８は、第１の制御手段１０１２を介して第１のメモリ１０１４にポリシーを出力する。
【０１１２】
第２の情報処理装置１０２０は、第２の操作入力手段１０２１と、第２の制御手段１０２２と、第２のカメラ撮影手段１０２３と、第２のメモリ１０２４と、ポリシー受信手段１０２５と、第２の同期処理手段１０２６と、分類レベル判定手段１０２７と、分類制限判定手段１０２８と、アップロード可否判定手段１０２９から構成される。第２の情報処理装置１０２０の各ブロックの処理等は、実施の形態２の第２の情報処理装置４２０と同様であるため説明を省略する。
【０１１３】
第３の情報処理装置１０３０は、第３の操作入力手段１０３１と、第３の制御手段１０３２と、第３のメモリ１０３３から構成される。第３の情報処理装置１０３０の各ブロックの処理等は、実施の形態１における第３の情報処理装置１３０と同様であるため説明を省略する。
【０１１４】
次に、本発明の実施の形態４の具体的な動作について図１１を用いて説明する。
【０１１５】
図１１は、実施の形態４における同情報処理システムの動作を説明するためのシーケンス図である。
【０１１６】
図１１に示すように、最初に、第１の情報処理装置を使用するユーザＡが第３の情報処理装置に共有フォルダを作成する（Ｓ１１１０）。次に、画像ファイルをフォルダに分類し（Ｓ１１１１）、共有フォルダに画像ファイルをアップロードする（Ｓ１１１２、Ｓ１１１３）。アップロードが完了したら第３の情報処理装置は、アップロード完了通知（Ｓ１１１４）を第１の情報処理装置に送信する。次にユーザＡが、ポリシー作成を開始すると（Ｓ１１１５）、分類レベルおよび分類制限が自動でポリシーに設定される（Ｓ１１１６、Ｓ１１１７）。このポリシーを第２の情報処理装置を使用するユーザＢ、およびユーザＣに送信する（Ｓ１１１８、Ｓ１１１９）。
【０１１７】
次に、前記分類レベル決定、分類制限決定（Ｓ１１１６、Ｓ１１１７）の処理内容について図１２を用いて説明をする。
【０１１８】
図１２は、本発明の実施の形態４における第１の情報処理装置の動作を説明するフローチャートである。
【０１１９】
図１２に示すように、第１の情報処理端末のフォルダ構成を取得し（Ｓ１２０１）、第１の情報処理端末の分類レベルを決定する（Ｓ１２０２）。次に、分類制限デフォルト値を取得し（Ｓ１２０３）、分類制限を決定する（Ｓ１２０４）。そして、分類レベルと分類制限をポリシーに設定する（Ｓ１２０５）。
【０１２０】
このように、本発明の実施の形態４によれば、共有フォルダ作成者によるポリシー作成の手間を減らす効果がある。
（実施の形態５）
図１３は、本発明の実施の形態５における情報処理システム全体のブロック図である。
【０１２１】
図１３に示すように、本発明の実施の形態５における情報処理システムは、第１の情報処理装置１３１０と、第２の情報処理装置１３２０と、第３の情報処理装置１３３０から構成される。
【０１２２】
第１の情報処理装置１３１０は、第１の操作入力手段１３１１と、第１の制御手段１３１２と、第１のカメラ撮影手段１３１３と、第１のメモリ１３１４と、第１の同期処理手段１３１５と、分類レベル決定手段１３１６と、ポリシー作成手段１３１７と、ポリシー送信手段１３１８から構成される。第１の情報処理装置１３１０の各ブロックの処理等は、実施の形態1における第1の情報処理装置１１０と同様であるため説明を省略する。
【０１２３】
第２の情報処理装置１３２０は、第２の操作入力手段１３２１と、第２の制御手段１３２２と、第２のカメラ撮影手段１３２３と、第２のメモリ１３２４と、ポリシー受信手段１３２５と、第２の同期処理手段１３２６と、分類レベル判定手段１３２７と、タイムスタンプ確認手段１３２８と、アップロード可否判定手段１３２９から構成される。
【０１２４】
次に第２の情報処理装置１３２０の各ブロックの処理について説明をする。
【０１２５】
第２の操作入力手段１３２１、第２の制御手段１３２２、第２のカメラ撮影手段１３２３、第２のメモリ１３２４、ポリシー受信手段１３２５、第２の同期処理手段１３２６、分類レベル判定手段１３２７、アップロード可否判定手段１３２９は、実施の形態１における第２の操作入力手段１２１、第１の制御手段１２２、第２のカメラ撮影手段１２３、第２のメモリ１２４、ポリシー受信手段１２５、同期処理手段１２６、分類レベル判定手段１２７、アップロード可否判定手段１２８と同様であるため説明を省略する。
【０１２６】
タイプスタンプ確認手段１３２８は、フォルダ配下にあるファイルのタイムスタンプを確認するための手段である。タイプスタンプ確認手段１３２８は、たとえばＣＰＵ（Ｃｅｎｔｒａｌ  Ｐｒｏｃｅｓｓｉｎｇ  Ｕｎｉｔ）上で動作するプログラムにより実現される。
【０１２７】
以下、第２の制御手段１３２２が行う処理について、具体的に説明する。但し、実施の形態１と同様の処理については省略し、差分のある処理についてだけ説明をする。
【０１２８】
第２の制御手段１３２２が行う第１の処理では、第２の操作入力手段１３２１から画像ファイルアップロード命令を受け、第２の同期処理手段１３２６にファイルアップロード命令を出力する。以後、第２の同期処理手段１３２６がアップロード可否判定手段１３２９からアップロード可否判定結果を受けるまでの処理は、実施の形態１での処理と同様であるため説明を省略する。アップロード可否判定の判定結果が不可であれば、第２の同期手段１３２６は、タイムスタンプ確認手段１３２８にファイルのタイムスタンプ確認命令を出力する。
【０１２９】
タイムスタンプ確認手段１３２８は、第２のメモリ１３２４と第３のメモリ１３３３にタイムスタンプ読み出し命令を出力する。第２のメモリ１３２４と第３のメモリ１３３３は、各ファイルのタイムスタンプをタイムスタンプ確認手段１３２８に出力する。タイムスタンプ確認手段１３２８は、タイムスタンプを第２の同期処理手段１３２６に出力する。
【０１３０】
第２の同期処理手段１３２６は、第２のメモリ１３２２と第３のメモリ１３３３のファイルタイムスタンプを比較し、アップロードするファイルを選別する。
【０１３１】
第３の情報処理装置１３３０は、第３の操作入力手段１３３１と、第３の制御手段１３３２と、第３のメモリ１３３３から構成される。第３の情報処理装置１３３０の各ブロックの処理等は、実施の形態１の第３の情報処理装置１３０と同様であるため説明を省略する。
【０１３２】
次に、本発明の実施の形態５の具体的な動作について図１４を用いて説明する。
【０１３３】
図１４は、実施の形態５における同情報処理システムの動作を説明するためのシーケンス図である。
【０１３４】
図１４に示すように、最初に、第１の情報処理装置を使用するユーザＡが第３の情報処理装置に共有フォルダを作成する（Ｓ１４１０）。次に、画像ファイルをフォルダに分類し（Ｓ１４１１）、共有フォルダに画像ファイルをアップロードする（Ｓ１４１２、Ｓ１４１３）。アップロードが完了したら第３の情報処理装置は、アップロード完了通知（Ｓ１４１４）を第１の情報処理装置に送信する。この時点において、第３の情報処理装置の共有フォルダ配下は、分類された状態になっている。次にユーザＡは、分類レベルを決定し、ポリシーを作成する（Ｓ１４１５）。このポリシーを第２の情報処理装置を使用するユーザＢ、およびユーザＣに送信する（Ｓ１４１６、１４１７）。
【０１３５】
ユーザＢが要求分類レベルに基づき画像ファイルをフォルダに分類し（Ｓ１４２０）、アップロードを開始（Ｓ１４２１）した場合、分類レベル判定（Ｓ１４２２）、およびアップロード可否判定（Ｓ１４２３）によりアップロード可と判定され、アップロードが実行される（Ｓ１４２４）。アップロードが完了したら第３の情報処理装置は、アップロード成功通知（Ｓ１４２５）をユーザＢが使用する第２の情報処理装置に送信する。この時点において、第３の情報処理装置の共有フォルダ配下は、分類された状態が保たれている。
【０１３６】
また、ユーザＣがフォルダを分類せずにアップロードを開始（Ｓ１４３０）した場合、分類レベル判定（Ｓ１４３１）、およびアップロード可否判定（Ｓ１４３２）によりアップロード不可と判定される。
【０１３７】
次に、第２の情報処理装置のフォルダ配下のファイルタイムスタンプと第３の情報処理装置の共有フォルダ配下のファイルタイムスタンプを比較し（Ｓ１４３３）、第３の情報処理装置のファイルタイムスタンプ幅におさまる第２の情報処理装置のファイルのアップロードが実行される（Ｓ１４３４）。ここで、ファイルタイムスタンプ幅は、いつからいつまでのファイルをアップロードするか、アップロードするファイルの期間を示すものである。具体的には、アップロード先（第３の情報処理装置）のフォルダ内に保存されているファイルのタイムスタンプを確認し、「最新のファイル」のタイムスタンプと「最古のファイル」のタイムスタンプから、ファイルタイムスタンプ幅は求められる。
【０１３８】
アップロードが完了したら第３の情報処理装置は、アップロード成功通知（Ｓ１４３５）をユーザＣが使用する第２の情報処理装置に送信する。この時点において、第３の情報処理装置の共有フォルダ配下は、分類された状態が保たれている。
【０１３９】
次に、ファイルタイムスタンプ比較（Ｓ１４３３）の処理内容について図１５を用いて説明をする。
【０１４０】
図１５は、本発明の実施の形態５における第２の情報処理装置の動作を説明するフローチャートである。
【０１４１】
図１５において、Ｓ１５０１、Ｓ１５０２、Ｓ１５０３、Ｓ１５０４、Ｓ１５０５は、実施の形態１における図３のＳ３０１、Ｓ３０２、Ｓ３０３、Ｓ３０４、Ｓ３０５と同様のフローであるため説明を省略する。
【０１４２】
Ｓ１５０４にて、ファイルの分類レベルが要求分類レベルに達していないと判定された場合は、アップロード元とアップロード先のフォルダ配下のファイルのタイムスタンプを確認する（Ｓ１５０６）。アップロード元のフォルダ内に保存された各々のファイルのタイムスタンプが、前述のファイルタイムスタンプ幅に含まれるか、確認を行う。
【０１４３】
アップロード元のフォルダ内のファイルのタイムスタンプが、ファイルタイムスタンプ幅に含まれているファイルのみをアップロードする（Ｓ１５０７）。
【０１４４】
このように、本発明の実施の形態５によれば、分類された画像ファイルは第３の情報処理装置の共有フォルダにアップロードされ、分類されていない画像ファイルでも自動で分類されてからアップロードされる。よって、共有フォルダ配下は分類された状態が保たれ閲覧が容易になる（Ｓ１４１８、Ｓ１４２６、Ｓ１４３６）。
【０１４５】
なお、上記実施の形態では、カメラ撮影手段による画像ファイルの共有を例に挙げて説明したが、画像ファイルに限らず、文書ファイル等の任意のファイルに置き換えてもよい。このようにすれば、任意のファイル共有に利用することもできる。また、第1の情報処理装置、および第２の情報処理装置の各機能ブロックを同一の情報処理装置に備えてもよい。
【産業上の利用可能性】
【０１４６】
本発明は、複数ユーザの情報処理装置ごとに分類の程度が異なるファイルを、複数ユーザ間で統一された分類状態でファイルの共有を図れるので、複数の情報処理装置間でファイルを共有する情報処理システム等に有用である。
【符号の説明】
【０１４７】
１１０、４１０、７１０、１０１０、１３１０    第１の情報処理装置
１１１、４１１、７１１、１０１１、１３１１    第１の操作入力手段
１１２、４１２、７１２、１０１２、１３１２    第１の制御手段
１１３、４１３、７１３、１０１３、１３１３    第１のカメラ撮影手段
１１４、４１４、７１４、１０１４、１３１４    第１のメモリ
１１５、４１５、７１５、１０１５、１３１５    第１の同期処理手段
１１６、４１６、７１６、１０１６、１３１６    分類レベル決定手段
４１７、７１７、１０１７    分類制限決定手段
７１７１    電話帳検索手段
１１７、４１８、７１８、１０１８、１３１７    ポリシー作成手段
１１８、４１９、７１９、１０１９、１３１８    ポリシー送信手段
１２０、４２０、７２０、１０２０、１３２０    第２の情報処理装置
１２１、４２１、７２１、１０２１、１３２１    第２の操作入力手段
１２２、４２２、７２２、１０２２、１３２２    第２の制御手段
１２３、４２３、７２３、１０２３、１３２３    第２のカメラ撮影手段
１２４、４２４、７２４、１０２４、１３２４    第２のメモリ
１２５、４２５、７２５、１０２５、１３２５    ポリシー受信手段
１２６、４２６、７２６、１０２６、１３２６    第２の同期処理手段
１２７、４２７、７２７、１０２７、１３２７    分類レベル判定手段
４２８、７２８、１０２８    分類制限判定手段
１２８、４２９、７２９、１０２９、１３２９    アップロード可否判定手段
１３０、４３０、７３０、１０３０、１３３０    第３の情報処理装置
１３１、４３１、７３１、１０３１、１３３１    第３の操作入力手段
１３２、４３２、７３２、１０３２、１３３２    第３の制御手段
１３３、４３３、７３３、１０３３、１３３３    第３のメモリ
１３２８    タイムスタンプ確認手段
【図１】
2011253483.tif 000003
【図２】
2011253483.tif 000004
【図３】
2011253483.tif 000005
【図４】
2011253483.tif 000006
【図５】
2011253483.tif 000007
【図６】
2011253483.tif 000008
【図７】
2011253483.tif 000009
【図８】
2011253483.tif 000010
【図９】
2011253483.tif 000011
【図１０】
2011253483.tif 000012
【図１１】
2011253483.tif 000013
【図１２】
2011253483.tif 000014
【図１３】
2011253483.tif 000015
【図１４】
2011253483.tif 000016
【図１５】
2011253483.tif 000017